(57)【要約】【課題】  遠隔地からネットワーク複合機のＦ／Ｗ（ファームウェア）の書換えを行うことができ、かつ、より短時間でＦ／Ｗを取得することが可能なＦ／Ｗ書換えシステムを提供する。【解決手段】  Ｆ／Ｗ書換えシステム１は、通信端末３と、該通信端末３と公衆交換電話網１００を介して接続され、書換え対象のＦ／Ｗを搭載するネットワーク複合機５と、該ネットワーク複合機５とＩＰ網１０２を介して接続され、Ｆ／Ｗのダウンロード要求に対して指定されたＦ／Ｗを送出する管理サーバ７とを備える。通信端末３は、ネットワーク複合機５にダウンロードさせるＦ／Ｗのバージョン情報、及び該Ｆ／Ｗを管理する管理サーバ７のＩＰアドレスを送信する。ネットワーク複合機５は、ＩＰアドレスにより特定される管理サーバ７から目的のＦ／Ｗをダウンロードする。そして、メモリ５０Ｂ，５１Ｂ，６０Ｂに記憶されているＦ／ＷをダウンロードしたＦ／Ｗに書換える。【選択図】  図１
2010252218.tif 000002
【特許請求の範囲】
【請求項１】
公衆交換電話網を介してネットワーク機器と接続される通信端末において、
前記ネットワーク機器にダウンロードさせるファームウェアを特定するためのファームウェア特定情報、及び、前記ネットワーク機器とＩＰ網を介して接続され該ファームウェアを管理する管理サーバを特定するための管理サーバ特定情報を設定する特定情報設定手段と、
前記特定情報設定手段により設定された前記ファームウェア特定情報、及び前記管理サーバ特定情報を、前記公衆交換電話網を介して、前記ネットワーク機器に送信する特定情報送信手段と、を備えることを特徴とする通信端末。
【請求項２】
前記公衆交換電話網を介して、前記ネットワーク機器から該ネットワーク機器に実装されているファームウェアに関する情報を取得するファームウェア情報取得手段をさらに備え、
前記特定情報設定手段は、前記ファームウェア情報取得手段により取得された前記ファームウェアに関する情報に基づいて、前記ファームウェア特定情報、及び前記管理サーバ特定情報を設定することを特徴とする請求項１に記載の通信端末。
【請求項３】
前記ネットワーク機器のファームウェアに関する情報、及び前記ファームウェア特定情報は、ファームウェアのバージョン情報であり、前記管理サーバ特定情報は、前記管理サーバのＩＰアドレスであることを特徴とする請求項２に記載の通信端末。
【請求項４】
公衆交換電話網を介して通信端末と接続されるとともに、ＩＰ網を介して管理サーバと接続されるネットワーク機器において、
前記公衆交換電話網を介して、前記通信端末から、ダウンロードするファームウェアを特定するためのファームウェア特定情報、及び該ファームウェアを管理する管理サーバを特定するための管理サーバ特定情報を受信する特定情報受信手段と、
前記ＩＰ網を介し、前記特定情報受信手段により受信された前記管理サーバ特定情報に基づいて特定される管理サーバに対して、前記ファームウェア特定情報によって特定されるファームウェアのダウンロードを要求するダウンロード要求手段と、
前記ＩＰ網を介して前記管理サーバからダウンロードされるファームウェアを受信するファームウェア受信手段と、
ファームウェアを記憶する記憶手段と、
前記記憶手段に記憶されているファームウェアを、前記ファームウェア受信手段により受信されたファームウェアに書換える書換え手段と、を備えることを特徴とするネットワーク機器。
【請求項５】
前記通信端末からの要求に対して、自機に実装されているファームウェアに関する情報を、前記公衆交換電話網を介して返信するファームウェア情報送信手段をさらに備えることを特徴とする請求項４に記載のネットワーク機器。
【請求項６】
前記ファームウェアに関する情報、及び前記ファームウェア特定情報は、ファームウェアのバージョン情報であり、前記管理サーバ特定情報は、該管理サーバのＩＰアドレスであることを特徴とする請求項５に記載のネットワーク機器。
【請求項７】
請求項１〜３のいずれか１項に記載の通信端末と、
請求項４〜６のいずれか１項に記載のネットワーク機器と、
ＩＰ網を介して前記ネットワーク機器と接続される管理サーバと、を備え、
前記管理サーバは、
前記ＩＰ網を介して、前記ネットワーク機器から、前記ファームウェア特定情報によって特定されるファームウェアのダウンロード要求を受付けるダウンロード要求受付け手段と、
前記ダウンロード要求受付け手段により受付けられたダウンロード要求で要求されているファームウェアを、前記ＩＰ網を介して、前記ネットワーク機器に送信するファームウェア送信手段と、を有することを特徴とするファームウェア書換えシステム。
【請求項８】
前記通信端末は、前記公衆交換電話網を介して、前記ネットワーク機器に対してファームウェアの書換えの実行を指示し、
前記ネットワーク機器は、前記通信端末からの書換えの実行指示に従ってファームウェアの書換えを行うことを特徴とする請求項７に記載のファームウェア書換えシステム。
【請求項９】
前記ネットワーク機器は、ファームウェアの書換えが終了したことを、前記公衆交換電話網を介して、前記通信端末に通知することを特徴とする請求項７又は８に記載のファームウェア書換えシステム。
【発明の詳細な説明】
【技術分野】
【０００１】
本発明は、通信端末、ネットワーク機器、及び、これらの通信端末とネットワーク機器とを含んで構成されるファームウェア書換えシステムに関する。
【背景技術】
【０００２】
近年、ネットワークに接続して利用される例えばネットワーク複合機（ＭＦＰ）等のネットワーク機器が広く用いられている。多くのネットワーク機器では、組み込みソフトウェア（ファームウェア、以下「Ｆ／Ｗ」ともいう）が実装され、Ｆ／Ｗが実行されることにより、機器の動作が統合的に制御される。このＦ／Ｗは、改良・機能拡張によりバージョンアップされることがある。バージョンアップされたＦ／Ｗをネットワーク複合機に適応するには、例えば、各ネットワーク機器のフラッシュメモリ等に記憶されているＦ／Ｗを書換える必要がある。そこで、Ｆ／Ｗを書換える技術がいくつか提案されている。このような技術として、特許文献１には公衆回線（公衆交換電話網）を介して遠隔地からネットワーク機器のＦ／Ｗを書換えるリモートＦ／Ｗ更新システムが開示されている。
【０００３】
特許文献１記載のシステムでは、まず、サービスセンタのクライアントが、複写機のＦ／Ｗのバージョン送信要求を公衆交換電話網を介して通信コントロール装置へ送信する。バージョン送信要求を受けた通信コントロール装置は、複写機からＦ／Ｗのバージョンを取得してクライアントへ送信する。バージョンを受信したクライアントは、そのバージョンと外部記憶装置内のＦ／Ｗのバージョンとを比較することにより、受信したバージョンが最新のものであるか否かを判断する。そして、最新バージョンではないと判断した場合、クライアントは、最新バージョンのＦ／Ｗを外部記憶装置から読み込み、公衆交換電話網を介して通信コントロール装置へ送信する。通信コントロール装置は、受信した最新バージョンのＦ／Ｗを複写機に送信してＦ／Ｗを更新させる。
【先行技術文献】
【特許文献】
【０００４】
【特許文献１】特開２００２−２８８０６６号公報
【発明の概要】
【発明が解決しようとする課題】
【０００５】
上述した技術によれば、公衆交換電話網を介して遠隔地からＦ／Ｗの書換えを行うことができる。一方、近年、ネットワーク複合機等のネットワーク機器では機能の拡張・増大、複雑化、個別対応化等に伴い、Ｆ／Ｗの容量が増大している。そのため、比較的通信速度が遅い公衆交換電話網を利用して大容量のＦ／Ｗを送信しようとすると、送信時間が非常に長く（例えば数時間に）なる。その場合、Ｆ／Ｗを送信している間中回線が切れないことを保証することが困難な場合も起こりうる。
【０００６】
一方、公衆交換電話網よりも高速のＩＰ網（インターネット）を介してＦ／Ｗをダウンロードする方法も知られている。しかしながら、インターネットは、セキュリティの観点から、一般的にファイアーウォール等で外部との通信が制限されていることが多く、外部から接続できないおそれ、すなわち遠隔地から操作できないおそれがある。そのため、ＩＰ網を介してＦ／Ｗをダウンロードしようとした場合、サービス員がネットワーク機器が設置されている場所に行き、機器を直接操作しなければならないという不便さがあった。
【０００７】
本発明は、上記問題点を解消する為になされたものであり、遠隔地からネットワーク機器のファームウェアの書換えを行うことができ、かつ、より短時間でファームウェアを取得することが可能な通信端末、ネットワーク機器、及び、これらの通信端末とネットワーク機器とを含んで構成されるファームウェア書換えシステムを提供することを目的とする。
【課題を解決するための手段】
【０００８】
本発明に係る通信端末は、公衆交換電話網を介してネットワーク機器と接続される通信端末において、ネットワーク機器にダウンロードさせるファームウェアを特定するためのファームウェア特定情報、及び、ネットワーク機器とＩＰ網を介して接続され該ファームウェアを管理する管理サーバを特定するための管理サーバ特定情報を設定する特定情報設定手段と、特定情報設定手段により設定されたファームウェア特定情報、及び管理サーバ特定情報を、公衆交換電話網を介して、ネットワーク機器に送信する特定情報送信手段とを備えることを特徴とする。
【０００９】
本発明に係る通信端末によれば、ダウンロードさせるファームウェアを特定するためのファームウェア特定情報、及び該ファームウェアを管理する管理サーバを特定するための管理サーバ特定情報が設定され、公衆交換電話網を利用して、ファームウェアを書換えるネットワーク機器に送信される。そのため、ネットワーク機器側で、ＩＰ網を介して接続され、管理サーバ特定情報により特定される管理サーバから、ファームウェア特定情報により特定されるファームウェアをダウンロードすることが可能となる。ここで、ファームウェア特定情報及び管理サーバ特定情報は、公衆交換電話網を利用してネットワーク機器に送信されるため、遠隔地からでも通信上の制限を受けることなく書換えを指示することができる。また、ファームウェアのダウンロードは、通信速度が速いＩＰ網を利用して行われるため、より短時間でファームウェアを取得することができる。よって、遠隔地からネットワーク機器のファームウェアの書換えを行うことができ、かつ、より短時間でファームウェアを取得することが可能となる。
【００１０】
本発明に係る通信端末は、公衆交換電話網を介して、ネットワーク機器から該ネットワーク機器に実装されているファームウェアに関する情報を取得するファームウェア情報取得手段をさらに備え、上記特定情報設定手段が、ファームウェア情報取得手段により取得されたファームウェアに関する情報に基づいて、ファームウェア特定情報、及び管理サーバ特定情報を設定することが好ましい。このようにすれば、ネットワーク機器に実装されているファームウェアを確認した上で、ファームウェア特定情報及び管理サーバ特定情報を設定することができる。
【００１１】
上記ネットワーク機器のファームウェアに関する情報、及びファームウェア特定情報は、ファームウェアのバージョン情報であり、管理サーバ特定情報は、該管理サーバのＩＰアドレスであることが好ましい。このようにすれば、ダウンロードするファームウェア及び、該ファームウェアを管理しているＩＰ網上の管理サーバをネットワーク機器側で適確に特定することが可能となる。
【００１２】
本発明に係るネットワーク機器は、公衆交換電話網を介して通信端末と接続されるとともに、ＩＰ網を介して管理サーバと接続されるネットワーク機器において、公衆交換電話網を介して、通信端末から、ダウンロードするファームウェアを特定するためのファームウェア特定情報、及び該ファームウェアを管理する管理サーバを特定するための管理サーバ特定情報を受信する特定情報受信手段と、ＩＰ網を介し、特定情報受信手段により受信された管理サーバ特定情報に基づいて特定される管理サーバに対して、ファームウェア特定情報によって特定されるファームウェアのダウンロードを要求するダウンロード要求手段と、ＩＰ網を介して管理サーバからダウンロードされるファームウェアを受信するファームウェア受信手段と、ファームウェアを記憶する記憶手段と、記憶手段に記憶されているファームウェアを、ファームウェア受信手段により受信されたファームウェアに書換える書換え手段とを備えることを特徴とする。
【００１３】
本発明に係るネットワーク機器によれば、公衆交換電話網を介して、通信端末から送信されたファームウェア特定情報及び管理サーバ特定情報が受信される。そして、管理サーバ特定情報により特定される管理サーバに対して、ファームウェア特定情報により特定されるファームウェアのダウンロードが要求される。その結果、ネットワーク機器では、ＩＰ網を介して、特定された管理サーバから所望のファームウェアを取得して、書換えることができる。ここで、ファームウェア特定情報及び管理サーバ特定情報は、公衆交換電話網を介して受信されるため、遠隔地からの書換え指示であっても制限されることなく受けることができる。また、ファームウェアのダウンロードは、通信速度が速いＩＰ網を利用して行われるため、より短時間でファームウェアを取得し、書換えることができる。よって、遠隔地からネットワーク機器のファームウェアの書換えを行うことができ、かつ、より短時間でファームウェアを取得することが可能となる。
【００１４】
本発明に係るネットワーク機器は、通信端末からの要求に対して、自機に実装されているファームウェアに関する情報を、公衆交換電話網を介して返信するファームウェア情報送信手段をさらに備えることが好ましい。このようにすれば、その時点で自機に実装されているファームウェアに関する情報を通信端末側に通知することができる。
【００１５】
上記ファームウェアに関する情報、及びファームウェア特定情報は、ファームウェアのバージョン情報であり、管理サーバ特定情報は、該管理サーバのＩＰアドレスであることが好ましい。このようにすれば、ネットワーク機器は、ダウンロードするファームウェア及び、該ファームウェアを管理しているＩＰ網上の管理サーバをより適確に特定することが可能となる。
【００１６】
本発明に係るファームウェア書換えシステムは、上記いずれかの通信端末と、上記いずれかのネットワーク機器と、ＩＰ網を介してネットワーク機器と接続される管理サーバとを備え、該管理サーバが、ＩＰ網を介して、ネットワーク機器から、ファームウェア特定情報によって特定されるファームウェアのダウンロード要求を受付けるダウンロード要求受付け手段と、ダウンロード要求受付け手段により受付けられたダウンロード要求で要求されているファームウェアを、ＩＰ網を介して、ネットワーク機器に送信するファームウェア送信手段とを有することを特徴とする。
【００１７】
本発明に係るファームウェア書換えシステムによれば、通信端末は、公衆交換電話網を利用して、ファームウェア特定情報及び管理サーバ特定情報をネットワーク機器に送信するため、遠隔地からでも通信上の制限を受けることなく書換えを指示することができる。また、ネットワーク機器は、通信速度が速いＩＰ網を利用して、管理サーバから所望のファームウェアをダウンロードすることできるため、より短時間でファームウェアを取得することができる。よって、遠隔地からネットワーク機器のファームウェアの書換えを行うことができ、かつ、より短時間でファームウェアを取得することが可能となる。
【００１８】
本発明に係るファームウェア書換えシステムでは、通信端末が、公衆交換電話網を介して、ネットワーク機器に対してファームウェアの書換えの実行を指示し、ネットワーク機器が、通信端末からの書換えの実行指示に従ってファームウェアの書換えを行うことが好ましい。このようにすれば、書換えの実行、及び書換えのタイミングを通信端末側で管理することが可能となる。
【００１９】
本発明に係るファームウェア書換えシステムでは、ネットワーク機器が、ファームウェアの書換えが終了したことを、公衆交換電話網を介して、通信端末に通知することが好ましい。このようにすれば、ファームウェアの書換えが終了したことを通信端末側で認識することが可能となる。
【発明の効果】
【００２０】
本発明によれば、遠隔地からネットワーク機器のファームウェアの書換えを行うことができ、かつ、より短時間でファームウェアを取得することが可能となる。
【図面の簡単な説明】
【００２１】
【図１】実施形態に係る通信端末及びネットワーク複合機を含むＦ／Ｗ書換えシステムの全体構成を示すブロック図である。
【図２】実施形態に係るＦ／Ｗ書換えシステムによるＦ／Ｗ書換え処理の処理手順を示すシーケンス図である。
【発明を実施するための形態】
【００２２】
以下、図面を参照して本発明の好適な実施形態について詳細に説明する。なお、各図において、同一要素には同一符号を付して重複する説明を省略する。なお、ここでは、ネットワーク機器としてネットワーク複合機（ＭＦＰ）を例に挙げて説明する。
【００２３】
まず、図１を用いて、実施形態に係るＦ／Ｗ書換えシステム１の全体構成、及び、該Ｆ／Ｗ書換えシステム１を構成する通信端末３、ネットワーク複合機５、並びに管理サーバ７それぞれの構成について説明する。図１は、通信端末３及びネットワーク複合機５を含むＦ／Ｗ書換えシステム１の全体構成を示すブロック図である。
【００２４】
Ｆ／Ｗ書換えシステム１は、ネットワーク複合機５に搭載されているＦ／Ｗを通信端末３から遠隔操作により書換えることができるリモートＦ／Ｗ書換えシステムである。Ｆ／Ｗ書換えシステムは、Ｆ／Ｗの書換え指示・情報を送出する通信端末３と、該通信端末３と公衆交換電話網（ＰＳＴＮ）１００を介して接続され、書換え対象のＦ／Ｗを搭載しているネットワーク複合機５と、該ネットワーク複合機５とＩＰ網（インターネット）１０２を介して接続され、ネットワーク複合機５からのダウンロード要求に対して要求されたＦ／Ｗを送出する管理サーバ７とを備えている。
【００２５】
まず、通信端末３の構成について説明する。通信端末３は、ネットワーク複合機５のＦ／Ｗの書換えを行うサービス員によって利用される小型のパーソナルコンピュータであり、上述したように公衆交換電話網１００を介してネットワーク複合機５と接続できるように構成されている。通信端末３は、公衆交換電話網１００を介したＧ３方式によるファクシミリ通信機能を有している。通信端末３は、公衆交換電話網１００を介したＧ３ＦＡＸ通信を利用して、ネットワーク複合機５から該ネットワーク複合機５に実装されているＦ／Ｗのバージョン情報を取得する。また、通信端末３は、ネットワーク複合機５に対して  ダウンロードするＦ／Ｗのバージョン情報、及び該Ｆ／Ｗが管理されている管理サーバ７のＩＰアドレスを含むＦ／Ｗの書換え指示・情報を送出する。そのため、通信端末３は、Ｆ／Ｗ情報取得部３０、特定情報設定部３１、特定情報送信部３２を備えている。また、通信端末３は、公衆交換電話網１００を介したＧ３ＦＡＸ通信を行うために、ディジタル信号とアナログ信号との変復調を行うＦＡＸモデム（変復調器）３３、及び、ＦＡＸモデム３３と公衆交換電話網１００との接続を制御するＮＣＵ（Ｎｅｔｗｏｒｋ  Ｃｏｎｔｒｏｌ  Ｕｎｉｔ）３４等を備えている。
【００２６】
Ｆ／Ｗ情報取得部３０は、公衆交換電話網１００を介したＧ３ＦＡＸ通信を利用して、ネットワーク複合機５に対して実装されているＦ／Ｗのバージョン情報を要求する。また、Ｆ／Ｗ情報取得部３０は、ネットワーク複合機５から返信されてくるＦ／Ｗのバージョン情報を受信することにより、ネットワーク複合機５に実装されているＦ／Ｗのバージョン情報を取得する。すなわち、Ｆ／Ｗ情報取得部３０は、特許請求の範囲に記載のファームウェア情報取得手段として機能する。なお、ネットワーク複合機５が複数のＦ／Ｗを実装しているときには、Ｆ／Ｗ情報取得部３０は、必要とするすべてのＦ／Ｗのバージョン情報を取得する。
【００２７】
特定情報設定部３１は、Ｆ／Ｗ情報取得部３０により取得されたＦ／Ｗのバージョン情報を解析し、ネットワーク複合機５にダウンロードさせるＦ／Ｗ（例えば最新のＦ／Ｗ）のバージョン情報、及び、該Ｆ／Ｗを管理している管理サーバ７を特定するためのＩＰアドレスを設定する。すなわち、特定情報設定部３１は、特許請求の範囲に記載の特定情報設定手段として機能する。なお、ネットワーク複合機５にダウンロードさせるＦ／Ｗのバージョン情報等は、Ｆ／Ｗ情報取得部３０により取得された現在実装されているＦ／Ｗのバージョン情報と、通信端末３が記憶している最新のＦ／Ｗのバージョン情報とを比較することにより、自動的に設定することができる。また、サービス員のキーボード操作等によって入力されるＦ／Ｗのバージョン情報、及び管理サーバ７のＩＰアドレスに基づいて、ネットワーク複合機５にダウンロードさせるＦ／Ｗのバージョン情報等を設定してもよい。
【００２８】
特定情報送信部３２は、特定情報設定部３１により設定されたＦ／Ｗのバージョン情報、及び管理サーバ７のＩＰアドレスを、公衆交換電話網１００を介したＧ３ＦＡＸ通信を利用して、ネットワーク複合機５に送信する。すなわち、特定情報送信部３２は、特許請求の範囲に記載の特定情報送信手段として機能する。
【００２９】
次に、ネットワーク複合機５の構成について説明する。ネットワーク複合機５は、ネットワーク対応されたプリンタ、スキャナ、コピー、ファクシミリ、ＩＦＡＸ（インターネットファクシミリ）、及びＷｅｂサーバの機能を有している。また、ネットワーク複合機５は、公衆交換電話網１００を介して通信端末３と接続されるとともに、ＩＰ網１０２を介して管理サーバ７と接続されており、通信端末３からの指示に従い、管理サーバ７からＦ／Ｗをダウンロードして自機のＦ／Ｗを書換える機能を有している。これらの各機能を実現するためにネットワーク複合機５は、制御部５０、表示・操作部５１、読取部５２、記録部５３、コーデック５４、画像記憶部５５、モデム５６、ＮＣＵ５７、ネットワーク制御部６０、ＩＦＡＸ部６１、Ｗｅｂサーバ６２、及び、ＬＡＮインターフェース６３等を備えている。なお、各部は通信線６４で相互に通信可能に接続されている。
【００３０】
ここで、ネットワーク複合機５を構成する制御部５０、表示・操作部５１、ネットワーク制御部６０それぞれは、演算を行うＣＰＵ５０Ａ，５１Ａ，６０Ａ、及びＣＰＵ５０Ａ，５１Ａ，６０Ａに各処理を実行させるためのＦ／Ｗを記憶するメモリ５０Ｂ，５１Ｂ，６０Ｂを備えている（詳細は後述する）。メモリ５０Ｂ，５１Ｂ，６０Ｂは、特許請求の範囲に記載の記憶手段として機能する。なお、メモリ５０Ｂ，５１Ｂ，６０Ｂとしては、記憶するＦ／Ｗの容量等に応じて、電気的に書換えが可能なフラッシュメモリ、又はハードディスク等が好適に用いられる。
【００３１】
制御部５０は、上述したＣＰＵ５０Ａ、該ＣＰＵ５０Ａに各処理を実行させるためのＦ／Ｗを記憶するメモリ５０Ｂに加え、演算結果などの各種データを一時的に記憶するＲＡＭ、及びデータがバックアップされているバックアップＲＡＭ等を備えている。制御部５０は、メモリ５０Ｂに記憶されているＦ／Ｗを実行することにより、ネットワーク複合機５を構成するハードウェアを統合的に制御し、プリンタ、スキャナ、コピー、及びファクシミリの機能を実現する。また、制御部５０を構成するＣＰＵ５０Ａは、メモリ５０Ｂに記憶されているＦ／Ｗを、管理サーバ７からダウンロードされたＦ／Ｗに書換える機能を有している。すなわち、ＣＰＵ５０Ａは、特許請求の範囲に記載の書換え手段として機能する。
【００３２】
表示・操作部５１は、所謂タッチスクリーンであり、操作画面等を表示する表示装置である液晶ディスプレイ（ＬＣＤ）等からなる表示部５１Ｃと、ユーザのタッチ操作（入力）を検出するタッチパネル等からなる操作部５１Ｄとを有して構成される入力装置である。表示・操作部５１は、表示部５１Ｃ及び操作部５１Ｄの制御を司るため、上述したＣＰＵ５１Ａ、該ＣＰＵ５１Ａに各処理を実行させるためのＦ／Ｗを記憶するメモリ５１Ｂに加え、演算結果などの各種データを一時的に記憶するＲＡＭ、及びデータがバックアップされているバックアップＲＡＭ等を有している。ＣＰＵ５１Ａは、メモリ５１Ｂに記憶されているＦ／Ｗを実行することにより、表示部５１Ｃ及び操作部５１Ｄを制御する。また、表示・操作部５１を構成するＣＰＵ５１Ａは、メモリ５１Ｂに記憶されているＦ／Ｗを、管理サーバ７からダウンロードされたＦ／Ｗに書換える機能を有している。すなわち、ＣＰＵ５１Ａも、特許請求の範囲に記載の書換え手段として機能する。
【００３３】
表示部５１Ｃは、ネットワーク複合機５の動作状態、各種設定情報、及びネットワーク複合機５を操作するための各種キー、例えばテンキー、短縮キー、スタートキー、ストップキー、及び各種のファンクションキー等を表示する。操作部５１Ｄは、表示部５１Ｃの表示画面を覆うように設けられており、その表面には２次元座標（Ｘ−Ｙ座標）が仮想的に配置されている。操作部５１Ｄは、ユーザによるタッチ操作がなされると、そのタッチ位置に応じた座標情報を出力する。なお、タッチ位置の検出には、例えば、圧力、静電容量、赤外線、及び超音波等が利用される。表示部５１Ｄは、各種キー等の表示位置とタッチ位置を示す座標情報とに基づいて、ユーザの操作内容を判断し、その結果を制御部５０又は後述するネットワーク制御部６０に出力する。
【００３４】
読取部５２は、光源及びＣＣＤ等によって構成されており、紙文書等の原稿を設定された副走査線密度に応じてライン毎に読み取り、画像データを生成する。記録部５３は、電子写真方式のプリンタであり、外部のパーソナルコンピュータから受信された画像データ、読取部５２により読み取られた画像データ、及びファクシミリで受信された画像データ等を用紙にプリントアウトする。
【００３５】
コーデック５４は、読取部５２で読み取られた画像データを符号化圧縮（以下、単に「符号化」ともいう）するとともに符号化されている画像データを復号する。なお、符号化方式としては、ＭＨ（Ｍｏｄｉｆｉｅｄ  Ｈｕｆｆｍａｎ）、ＭＲ（Ｍｏｄｉｆｉｅｄ  ＲＥＡＤ（ｒｅｌａｔｉｖｅ  ｅｌｅｍｅｎｔ  ａｄｄｒｅｓｓ  ｄｅｓｉｇｎａｔｅ））、ＭＭＲ（Ｍｏｄｉｆｉｅｄ  Ｍｏｄｉｆｉｅｄ  ＲＥＡＤ）等が用いられる。画像記憶部５５は、ＤＲＡＭ等で構成されており、コーデック５４で符号化された画像データ、及びファクシミリ受信された画像データ等を記憶する。
【００３６】
ＦＡＸモデム（変復調器）５６は、ディジタル信号とアナログ信号との間の変復調を行う。また、ＦＡＸモデム５６は、ディジタル命令信号（ＤＣＳ）等の各種機能情報の発生及び検出を行う。ＮＣＵ（Ｎｅｔｗｏｒｋ  Ｃｏｎｔｒｏｌ  Ｕｎｉｔ）５７は、ＦＡＸモデム５６と接続されており、ＦＡＸモデム５６とＰＳＴＮ（公衆交換電話網）１００との接続を制御する。また、ＮＣＵ５７は、送信先のファクシミリ番号に対応した呼出信号の送出、及びその着信を検出する機能を備えている。
【００３７】
ここで、通信端末３からＦ／Ｗのバージョン情報取得要求を受けた場合に、上述した制御部５０は、ネットワーク複合機５に実装されているＦ／Ｗのバージョン情報、すなわち、メモリ５０Ｂ，５１Ｂ，６０Ｂそれぞれに記憶されているＦ／Ｗのバージョン情報を取得して、ＦＡＸモデム５６、ＮＣＵ５７を用いて通信端末３に返信する。また、制御部５０は、ＦＡＸモデム５６、ＮＣＵ５７を用いて、ダウンロードするＦ／Ｗのバージョン情報、及び該Ｆ／Ｗを管理する管理サーバ７のＩＰアドレスを通信端末３から受信する。すなわち、制御部５０、ＦＡＸモデム５６及びＮＣＵ５７は、特許請求の範囲に記載のファームウェア情報送信手段、特定情報受信手段として機能する。なお、ダウンロードするＦ／Ｗのバージョン情報及び管理サーバ７のＩＰアドレスが受信された場合、制御部５０は、これらのデータをネットワーク制御部６０に出力する。
【００３８】
ネットワーク制御部６０は、上述したＣＰＵ６０Ａ、該ＣＰＵ６０Ａに各処理を実行させるためのＦ／Ｗを記憶するメモリ６０Ｂに加え、演算結果などの各種データを一時的に記憶するＲＡＭ、及びデータがバックアップされているバックアップＲＡＭ等を備えている。ＣＰＵ６０Ａは、メモリ６０Ｂに記憶されているＦ／Ｗを実行することにより、後述するＩＦＡＸ部６１、Ｗｅｂサーバ６２、ＬＡＮインターフェース６３を統合的に制御する。また、ネットワーク制御部６０を構成するＣＰＵ６０Ａは、メモリ６０Ｂに記憶されているＦ／Ｗを、管理サーバ７からダウンロードされたＦ／Ｗに書換える機能を有している。すなわち、ＣＰＵ６０Ａも、特許請求の範囲に記載の書換え手段として機能する。
【００３９】
ＩＦＡＸ部６１は、ＩＰ網１０２経由で画像データを送受信する。より詳細には、ＩＦＡＸ部６１は、送信原稿をＴＩＦＦ形式等の画像データとして電子メールに添付し、メールアドレス（ＳＭＴＰサーバ）宛てに送信するとともに、設定された時間毎にＰＯＰサーバから電子メールを受信して添付ファイルをプリントアウトする。Ｗｅｂサーバ６２は、例えばＨＴＭＬで記述されたホームページ、ログインページ、及びファクシミリ操作ページ等のデータに対して、クライアント端末からアクセスして所定のＨＴＴＰタスクを実行することを可能にする。
【００４０】
ＬＡＮインターフェース６３は、各種通信プロトコルの送受信制御処理、及び各種通信プロトコル上のデータ解析処理及びデータ作成処理を行うネットワークインターフェースである。ＬＡＮインターフェース６３は、ＬＡＮ１０１に接続され、ＩＰ網１０２からのデータをルータ９０を介して受信するとともに、ＬＡＮ１０１に対して信号やデータを送信する。ここで、上述したネットワーク制御部６０は、通信端末３から受信されたＩＰアドレスに基づいて特定されるＩＰ網１０２上の管理サーバ７に対して、ＬＡＮインターフェース６３を介して、Ｆ／Ｗのダウンロードを要求する。また、ネットワーク制御部６０は、ＬＡＮインターフェース６３を用いて管理サーバ７からダウンロードされるＦ／Ｗを受信する。すなわち、ネットワーク制御部６０及びＬＡＮインターフェース６３は、特許請求の範囲に記載のダウンロード要求手段、ファームウェア受信手段として機能する。なお、管理サーバ７からダウンロードされたＦ／Ｗは、その用途に応じて、ネットワーク制御部６０から配信される。すなわち、ダウンロードされたＦ／Ｗが制御部５０用のＦ／Ｗ（以下「本体Ｆ／Ｗ」ともいう）である場合には制御部５０に出力され、表示・操作部５１用のＦ／Ｗ（以下「パネルＦ／Ｗ」ともいう）であるときには表示・操作部５１に出力される。一方、ダウンロードされたＦ／Ｗがネットワーク制御部６０用のＦ／Ｗ（以下「ネットワークＦ／Ｗ」ともいう）の場合にはネットワーク制御部６０に一旦格納される。
【００４１】
続いて、管理サーバ７の構成について説明する。管理サーバ７は、演算を行うＣＰＵ、該ＣＰＵに各処理を実行させるためのソフトウェアを記憶するＲＯＭ及び／又はハードディスク、演算結果などの各種データを一時的に記憶するＲＡＭ、及びデータがバックアップされているバックアップＲＡＭ等を備えて構成されている。管理サーバ７は、ＨＴＴＰサーバ機能を有しており、ネットワーク複合機５から送信されたＦ／Ｗダウンロード要求（ＨＴＴＰリクエスト）を受信するとともに、要求されているＦ／Ｗをネットワーク複合機５へ返信する（ＨＴＴＰレスポンス）。そのため、管理サーバ７は、ダウンロード要求受付け部７０及びＦ／Ｗ送信部７１等を有している。
【００４２】
ダウンロード要求受付け部７０は、ＩＰ網１０２、及びルータ９１、ＮＩＣ（Ｎｅｔｗｏｒｋ  Ｉｎｔｅｒｆａｃｅ  Ｃａｒｄ）７２を介して、ネットワーク複合機５から送信されたＦ／Ｗのダウンロード要求を受付ける。すなわち、ダウンロード要求受付け部７０は、特許請求の範囲に記載のダウンロード要求受付け手段として機能する。Ｆ／Ｗ送信部７１は、ダウンロード要求受付け部７０により受付けられたダウンロード要求に含まれるＦ／Ｗのバージョン情報を抽出し、抽出したバージョン情報と一致するバージョンのＦ／Ｗを読み出して、ネットワーク複合機５にＩＰ網１０２を介して送信する。すなわち、Ｆ／Ｗ送信部７１は、特許請求の範囲に記載のファームウェア送信手段として機能する。
【００４３】
次に、図２を参照しつつ、Ｆ／Ｗ書換えシステム１によるＦ／Ｗ書換え処理について説明する。図２は、Ｆ／Ｗ書換えシステム１によるＦ／Ｗ書換え処理の処理手順を示すシーケンス図である。
【００４４】
まず、通信端末３から、公衆交換電話網１００を介したＧ３ＦＡＸ通信を利用して、ネットワーク複合機５に対して、実装されているＦ／Ｗのバージョン情報を要求するバージョン情報要求が送信される（ステップＳ１００）。
【００４５】
バージョン情報要求を受信したネットワーク複合機５は、自機に実装されているＦ／Ｗのバージョン情報、すなわち、制御部５０のメモリ５０Ｂに記憶されている本体Ｆ／Ｗのバージョン情報、表示・操作部５１のメモリ５１Ｂに記憶されているパネルＦ／Ｗのバージョン情報、及びメモリ６０Ｂに記憶されているネットワークＦ／Ｗのバージョン情報を、公衆交換電話網１００を介して通信端末３に返信する（ステップＳ１０２）。
【００４６】
通信端末３は、ネットワーク複合機５から返信されて来たＦ／Ｗのバージョン情報を受信し、ネットワーク複合機５に実装されている３つのＦ／Ｗのバージョン情報、すなわち、本体Ｆ／Ｗ、パネルＦ／Ｗ、ネットワークＦ／Ｗのバージョン情報を取得する（ステップＳ１０４）。
【００４７】
通信端末３は、取得された各Ｆ／Ｗのバージョン情報を解析し、Ｆ／Ｗの書換え（アップデート）を行う必要があるか否かについての判断を行う（ステップＳ１０６）。ここで、Ｆ／Ｗの書換えを行う必要がないと判断された場合、例えば、取得されたＦ／Ｗのバージョンが既に最新のものであるような場合には、本処理が終了する。
【００４８】
一方、Ｆ／Ｗの書換えが必要であると判断されたとき、例えば、取得されたＦ／Ｗのバージョンが最新のものではなかったときには、通信端末３は、ネットワーク複合機５にダウンロードさせるＦ／Ｗ（例えば最新バージョンのＦ／Ｗ）のバージョン情報、及び、該Ｆ／Ｗを管理している管理サーバ７を特定するためのＩＰアドレスを設定する。その際、通信端末３は、ネットワーク複合機５に実装されているＦ／Ｗのバージョン情報と、自機が記憶している最新のＦ／Ｗのバージョン情報とを比較することにより、ネットワーク複合機５にダウンロードさせるＦ／Ｗのバージョン情報等を自動的に設定する。なお、サービス員のキーボード操作等によって入力されるＦ／Ｗのバージョン情報等に基づいて、ネットワーク複合機５にダウンロードさせるＦ／Ｗのバージョン情報等を設定するようにしてもよい。その後、通信端末３は、設定されたＦ／Ｗのバージョン情報、及び管理サーバ７のＩＰアドレスを、公衆交換電話網１００を介したＧ３ＦＡＸ通信を利用して、ネットワーク複合機５に送信する（ステップＳ１０８）。
【００４９】
ネットワーク複合機５は、ダウンロードするＦ／Ｗのバージョン情報、及び該Ｆ／Ｗを管理する管理サーバ７のＩＰアドレスを、公衆交換電話網１００を介して通信端末３から受信する（ステップＳ１１０）。そして、ネットワーク複合機５は、ＨＴＴＰに従い、受信したＩＰアドレスに基づいて特定されるＩＰ網１０２上の管理サーバ７にアクセスし、所望するＦ／Ｗのバージョンを指定して、該Ｆ／Ｗが管理されているか否かの確認を要求する（ＨＴＴＰリクエスト）（ステップＳ１１２）。
【００５０】
確認要求を受けた管理サーバ７は、ネットワーク複合機５から指定されたバージョンのＦ／Ｗを自機で管理しているか否かを判断し、その結果、すなわちＦ／Ｗの有無をネットワーク複合機５に返信する（ＨＴＴＰレスポンス）（ステップＳ１１４）。
【００５１】
返信を受けたネットワーク複合機５は、その結果に基づいて、所望するＦ／Ｗが管理サーバ７によって管理されているか否かについての判断を行う（ステップＳ１１６）。ここで、所望するＦ／Ｗが管理サーバ７によって管理されていない場合（目的のＦ／Ｗが管理サーバ７に無い場合）には、上述したステップＳ１１２に戻り、再度確認要求を送信する。一方、管理サーバ７が所望するＦ／Ｗを管理している場合（目的のＦ／Ｗが管理サーバ７に有る場合）、ネットワーク複合機５は、管理サーバ７に対して、所望するＦ／Ｗのバージョンを指定して該Ｆ／Ｗのダウンロードを要求する（ＨＴＴＰリクエスト）（ステップＳ１１８）。
【００５２】
Ｆ／Ｗのダウンロード要求を受けた管理サーバ７は、ダウンロード要求に含まれるＦ／Ｗのバージョン情報を抽出するとともに、抽出したバージョン情報と一致するバージョンのＦ／Ｗを読み出して、ネットワーク複合機５にＩＰ網１０２を介して送信する（ＨＴＴＰレスポンス）（ステップＳ１２０）。
【００５３】
ネットワーク複合機５は、管理サーバ７からダウンロードされるＦ／Ｗを受信する（ステップＳ１２２）。Ｆ／Ｗのダウンロードが終了すると、ネットワーク複合機５では、Ｆ／Ｗの書換えが実行される（ステップＳ１２４）。より詳細には、ダウンロードされたＦ／Ｗが本体Ｆ／Ｗである場合には、制御部５０において、メモリ５０Ｂに記憶されている本体Ｆ／Ｗがダウンロードされた本体Ｆ／Ｗに書換えられる。また、ダウンロードされたＦ／ＷがパネルＦ／Ｗの場合には、表示・操作部５１において、メモリ５１Ｂに記憶されているパネルＦ／ＷがダウンロードされたパネルＦ／Ｗに書換えられる。さらに、ダウンロードされたＦ／ＷがネットワークＦ／Ｗのときには、ネットワーク制御部６０において、メモリ６０Ｂに記憶されているネットワークＦ／ＷがダウンロードされたネットワークＦ／Ｗに書換えられる。
【００５４】
一方、通信端末３は、上述したステップＳ１０８においてＦ／Ｗのバージョン情報及び管理サーバ７のＩＰアドレスをネットワーク複合機５に送信した後、ネットワーク複合機５側でＦ／Ｗの書換えに要すると考えられる所定時間（例えば１時間）経過したか否かの判断を行う（ステップＳ１２６）。ここで、所定時間経過していない場合には、所定時間経過するまで、本処理が繰り返して実行される。一方、所定時間経過したときには、ネットワーク複合機５側でＦ／Ｗの書換えが完了したかどうかの確認が行われる。
【００５５】
より具体的には、まず、通信端末３は、公衆交換電話網１００を介したＧ３ＦＡＸ通信を利用して、ネットワーク複合機５に対して、実装されているＦ／Ｗのバージョン情報を要求するバージョン情報要求を送信する（ステップＳ１２８）。バージョン情報要求を受信したネットワーク複合機５は、自機に実装されているＦ／Ｗのバージョン情報、すなわち、制御部５０のメモリ５０Ｂに記憶されている本体Ｆ／Ｗのバージョン情報、表示・操作部５１のメモリ５１Ｂに記憶されているパネルＦ／Ｗのバージョン情報、及びネットワーク制御部６０のメモリ６０Ｂに記憶されているネットワークＦ／Ｗのバージョン情報を、公衆交換電話網１００を介して通信端末３に返信する（ステップＳ１３０）。
【００５６】
通信端末３は、ネットワーク複合機５から返信されて来たＦ／Ｗのバージョン情報を受信し、ネットワーク複合機５に実装されている３つのＦ／Ｗのバージョン情報、すなわち、本体Ｆ／Ｗ、パネルＦ／Ｗ、ネットワークＦ／Ｗのバージョン情報を取得する。そして、通信端末３は、取得された各Ｆ／Ｗのバージョン情報を解析し、Ｆ／Ｗの書換え（アップデート）が完了しているか否かについての判断を行う（ステップＳ１３２）。ここで、Ｆ／Ｗの書換えが完了していると判断された場合、すなわち、今回取得されたＦ／ＷのバージョンとステップＳ１０８でネットワーク複合機５に送信したＦ／Ｗのバージョンとが一致する場合には、本Ｆ／Ｗ書換え処理が終了する。
【００５７】
一方、Ｆ／Ｗの書換えが完了していないと判断されたとき、すなわち、今回取得されたＦ／ＷのバージョンがステップＳ１０８でネットワーク複合機５に送信したＦ／Ｗのバージョンと異なっているときには、この確認処理を３回試行したか否かについての判断が行われる（ステップＳ１３４）。ここで、確認処理が３回試行されていない場合には、ステップＳ１０８に処理が移行され、上述したステップＳ１０８〜Ｓ１３２の処理が再度実行される。一方、確認処理が３回試行されたときには、本処理が終了する。
【００５８】
本実施形態に係るＦ／Ｗ書換えシステム１によれば、通信端末３は、ネットワーク複合機５にダウンロードさせるＦ／Ｗを特定するためのＦ／Ｗのバージョン情報、及び該Ｆ／Ｗを管理する管理サーバ７を特定するための管理サーバ７のＩＰアドレスを、公衆交換電話網１００を介したＧ３ＦＡＸ通信を利用して、ネットワーク複合機５に送信する。そのため、遠隔地からでも通信上の制限を受けることなく書換えを指示することができる。また、ネットワーク複合機５は、通信速度が速いＩＰ網１０２を利用して、管理サーバ７から目的のＦ／Ｗをダウンロードすることできるため、より短時間でＦ／Ｗを取得することができる。よって、遠隔地からネットワーク複合機５のＦ／Ｗの書換えを行うことができ、かつ、より短時間でＦ／Ｗを取得することが可能となる。
【００５９】
本実施形態に係る通信端末３によれば、Ｆ／Ｗのバージョン情報及び管理サーバのＩＰアドレスが、公衆交換電話網１００を利用して、ネットワーク複合機５に送信される。そのため、ネットワーク複合機５側で、ＩＰアドレスにより特定される管理サーバ７から、目的のＦ／Ｗをダウンロードすることが可能となる。ここで、Ｆ／Ｗのバージョン情報及び管理サーバ７のＩＰアドレスは、公衆交換電話網１００を介してネットワーク複合機５に送信されるため、通信端末３によれば、遠隔地からでも通信上の制限を受けることなく書換えを指示することができる。また、Ｆ／Ｗのダウンロードは、通信速度が速いＩＰ網１０２を利用して行われるため、より短時間でＦ／Ｗを取得することができる。よって、遠隔地からネットワーク複合機５のＦ／Ｗの書換えを行うことができ、かつ、より短時間でＦ／Ｗを取得することが可能となる。
【００６０】
本実施形態に係る通信端末３によれば、ネットワーク複合機５にダウンロードさせるＦ／Ｗを特定するための情報としてＦ／Ｗのバージョン情報が用いられ、管理サーバ７を特定するための情報として該管理サーバのＩＰアドレスが利用される。そのため、ネットワーク複合機側で、ダウンロードするＦ／Ｗ及び該Ｆ／Ｗを管理しているＩＰ網１０２上の管理サーバ７を適確に特定することができる。
【００６１】
本実施形態に係るネットワーク複合機５によれば、公衆交換電話網１００を介して、通信端末３から送信されたＦ／Ｗのバージョン情報及び管理サーバのＩＰアドレスが受信される。そして、ＩＰアドレスにより特定される管理サーバ７に対して、バージョン情報により特定されるＦ／Ｗのダウンロードが要求される。その結果、ネットワーク複合機５では、ＩＰ網１０２を介して、管理サーバ７から所望のＦ／Ｗをダウンロードして、書換えることができる。ここで、Ｆ／Ｗのバージョン情報及び管理サーバのＩＰアドレスは、公衆交換電話網１００を介して受信されるため、遠隔地からの書換え指示であっても制限されることなく受けることができる。また、Ｆ／Ｗのダウンロードは、通信速度が速いＩＰ網１０２を利用して行われるため、より短時間でＦ／Ｗをダウンロードし、書換えることができる。よって、遠隔地からネットワーク複合機５のＦ／Ｗの書換えを行うことができ、かつ、より短時間でＦ／Ｗを取得することが可能となる。
【００６２】
本実施形態に係るネットワーク複合機５よれば、Ｆ／Ｗを特定するための情報としてＦ／Ｗのバージョン情報が用いられ、管理サーバ７を特定するための情報として該管理サーバのＩＰアドレスが利用される。そのため、ダウンロードを要求するＦ／Ｗ及び、該Ｆ／Ｗを管理しているＩＰ網１０２上の管理サーバ７を適確に特定することができる。
【００６３】
以上、本発明の実施の形態について説明したが、本発明は、上記実施形態に限定されるものではなく種々の変形が可能である。例えば、ネットワーク複合機５がＦ／Ｗの書換えを実行する際に、通信端末３から書換え実行指示を受けたタイミングで、Ｆ／Ｗの書換えを実行するようにしてもよい。その場合、上述したステップＳ１２２において管理サーバ７からＦ／Ｗをダウンロードしたネットワーク複合機５は、Ｆ／Ｗの書換えを行うことなく、すなわちステップＳ１２４を実行することなく、通信端末３からの書換え実行指示を待つ。一方、通信端末３は、ネットワーク複合機５によるＦ／Ｗのダウンロードが終了すると推測される所定のタイミングで、公衆交換電話網１００を介して書換え実行指示を送信する。そして、通信端末３から書換え実行指示を受けたネットワーク複合機５は、上述したステップＳ１２４の処理を実行し、Ｆ／Ｗの書換えを行う。このようにすれば、Ｆ／Ｗの書換えの実行、及び書換えのタイミングを通信端末側で管理することが可能となる。
【００６４】
また、ネットワーク複合機５が、Ｆ／Ｗの書換えが終了したことを、公衆交換電話網１００を介して、通信端末３に通知するようにしてもよい。この場合、ネットワーク複合機５は、上述したステップＳ１２４が終了した時点で、Ｆ／Ｗの書換えが終了した旨を通信端末３に対して、公衆交換電話網１００を介して送信する。このようにすれば、Ｆ／Ｗの書換えが終了したことを通信端末側で認識することが可能となる。
【００６５】
また、上記実施形態では、ネットワーク機器としてネットワーク複合機を例に挙げたが、ネットワーク機器としては、例えば、単機能のネットワークファクシミリ装置等であってもよい。また、上記実施形態では、ネットワーク複合機５に３つのＦ／Ｗが実装されていたが、Ｆ／Ｗの数は３つに限定されない。例えば、表示・操作部５１を制御部５０で制御する構成としてもよく、その場合には、実装されているＦ／Ｗの数は２つになる。さらに、上記実施形態では、通信端末３とネットワーク複合機５との通信に、Ｇ３ＦＡＸ通信を利用したが、Ｇ３ＦＡＸに代えて、スーパーＧ３ＦＡＸ、又はディジタル回線（ＩＳＤＮ回線）で用いられるＧ４ＦＡＸ等を利用してもよい。
【符号の説明】
【００６６】
１  Ｆ／Ｗ書換えシステム
３  通信端末
５  ネットワーク複合機
７  管理サーバ
３０  Ｆ／Ｗ情報取得部
３１  特定情報設定部
３２  特定情報送信部
５０  制御部
５０Ａ，５１Ａ，６０Ａ  ＣＰＵ
５０Ｂ，５１Ｂ，６０Ｂ  メモリ
５１  表示・操作部
５２  読取部
５３  記録部
５４  コーデック
５５  画像記憶部
５６  ＦＡＸモデム
５７  ＮＣＵ
６０  ネットワーク制御部
６１  ＩＦＡＸ部
６２  Ｗｅｂサーバ
６３  ＬＡＮインターフェース
７０  ダウンロード要求受付け部
７１  Ｆ／Ｗ送信部
１００  公衆交換電話網
１０１  ＬＡＮ
１０２  ＩＰ網
【図１】
2010252218.tif 000003
【図２】
2010252218.tif 000004